(57)【要約】【課題】小型の電池パックであっても、保護回路基板の基板面積を確保しつつ、電子機器の電池室への誤挿入を防止することができる仕組みを提供する。【解決手段】電池パック１００は、電池セル１０１と、保護回路基板１０３を介して電池セル１０１を覆うカバー１０７〜１０９とを有し、電子機器の電池室２０５に着脱可能に装着された際に電池室２０５に設けられた係合部材２０６が係合して電池室２０５に固定される。カバー１０７〜１０９は、保護回路基板１０３の基板面に対向する側面が電池パック１００の電池室２０５に対する挿入面１００ａとなるように配置され、カバー１０７〜１０９の挿入面１００ａ以外の側面には、電池室２０５に対して電池パック１００を誤った向きで挿入した際に、挿入途中で係合部材２０６が係合する係合凹部１１０〜１１２が形成される。【選択図】図６
2016004651.tif 000002
【特許請求の範囲】
【請求項１】
電池セルと、保護回路基板を介して前記電池セルを覆うカバーとを有し、電子機器の電池室に着脱可能に装着された際に前記電池室に設けられた係合部材が係合して前記電池室に固定される電池パックであって、
前記カバーは、前記保護回路基板の基板面に対向する側面が前記電池パックの前記電池室に対する挿入面となるように配置され、
前記カバーの前記挿入面以外の側面には、前記電池室に対して前記電池パックを誤った向きで挿入した際に、挿入途中で前記係合部材が係合する係合凹部が形成されることを特徴とする電池パック。
【請求項２】
前記係合凹部は、前記電池パックの左右方向の向きを誤って前記電池室に前記電池パックを挿入した際に、前記係合部材が係合する第１の係合凹部、前記電池パックの上下方向の向きを誤って前記電池室に前記電池パックを挿入した際に、前記係合部材が係合する第２の係合凹部、及び前記電池パックの上下方向かつ左右方向の向きを誤って前記電池室に前記電池パックを挿入した際に、前記係合部材が係合する第３の係合凹部を含むことを特徴とする請求項１に記載の電池パック。
【請求項３】
前記電子機器は、デジタルカメラ又はデジタルビデオカメラであることを特徴とする請求項１又は２に記載の電池パック。
【請求項４】
着脱可能な電池パックを備え、前記電池パックが装着される電池室を有し、前記電池室には、前記電池室に装着された際に前記電池パックに対して係合して前記電池パックを前記電池室に固定する係合部材が設けられる電子機器であって、
前記電池パックは、保護回路基板を介して電池セルを覆うカバーを有し、
前記カバーは、前記保護回路基板の基板面に対向する側面が前記電池パックの前記電池室に対する挿入面となるように配置され、
前記カバーの前記挿入面以外の側面には、前記電池室に対して前記電池パックを誤った向きで挿入した際に、挿入途中で前記係合部材が係合する係合凹部が形成されていることを特徴とする電子機器。
【発明の詳細な説明】
【技術分野】
【０００１】
本発明は、例えばデジタルカメラやデジタルビデオカメラ等の撮像装置を含む電子機器に装着される電池パック、及び電池パックが装着される電子機器に関する。
【背景技術】
【０００２】
デジタルカメラやビデオカメラ等の電子機器には、電池パックを着脱可能な電池室が設けられ、電池室には、電池パックと電気的に接続される電池端子が設けられている。
【０００３】
ところで、電池パックは、直方体形状で鉛直断面が点対称に形成されているものが多く、誤った方向で電池室に挿入されてしまうことがある。
【０００４】
そのため、図１０に示すように、電池パック４００の電池室への挿入面４００ａの幅方向の両側に、それぞれ凹部４０１を設け、電池室には、凹部４０１に対して係脱可能に係合する係合凸部を設けることで、電池パックの誤挿入を防止するようにしている。
【発明の概要】
【発明が解決しようとする課題】
【０００５】
近年、電子機器の更なる小型化の要請があり、電子機器に装着される電池パックも更なる小型化が必要とされている。
【０００６】
しかし、図１０に示す電池パック４００では、電池室への挿入面４００ａの幅方向両側に保護回路基板４０３を避けて凹部４０１を形成しているため、電池パック４００を小型にすると、保護回路基板４０３の基板面積を確保できなくなってしまう。また、保護回路基板４０３の基板面積を確保しようとすると、電池パック４００に凹部４０１を形成することが困難となり、誤挿入の防止ができなくなる可能性がある。
【０００７】
そこで、本発明は、小型の電池パックであっても、保護回路基板の基板面積を確保しつつ、電子機器の電池室への誤挿入を防止することができる仕組みを提供することを目的とする。
【課題を解決するための手段】
【０００８】
上記目的を達成するために、本発明は、電池セルと、保護回路基板を介して前記電池セルを覆うカバーとを有し、電子機器の電池室に着脱可能に装着された際に前記電池室に設けられた係合部材が係合して前記電池室に固定される電池パックであって、前記カバーは、前記保護回路基板の基板面に対向する側面が前記電池パックの前記電池室に対する挿入面となるように配置され、前記カバーの前記挿入面以外の側面には、前記電池室に対して前記電池パックを誤った向きで挿入した際に、挿入途中で前記係合部材が係合する係合凹部が設けられることを特徴とする。
【発明の効果】
【０００９】
本発明によれば、小型の電池パックであっても、保護回路基板の基板面積を確保しつつ、電子機器の電池室への誤挿入を防止することができる。
【図面の簡単な説明】
【００１０】
【図１】（ａ）は本発明の第１の実施形態である電池パックの斜視図、（ｂ）は（ａ）に示す電池パックを背面側から見た斜視図である。
【図２】図１（ａ）に示す電池パックの分解斜視図である。
【図３】電池パックが着脱可能に装着されるデジタルカメラの電池蓋を開いた状態を示す斜視図である。
【図４】図３のＡ−Ａ線断面図である。
【図５】電池パックの左右方向の向きを間違えて電池室に電池パックを挿入している状態を示す斜視図である。
【図６】電池パックの左右方向の向きを間違えて電池室に電池パックを挿入したときの状態を示す要部断面図である。
【図７】電池パックの上下方向の向きを間違えて電池室に電池パックを挿入している状態を示す斜視図である。
【図８】電池パックの上下方向の向きを間違えて電池室に電池パックを挿入したときの状態を示す要部断面図である。
【図９】（ａ）は本発明の第２の実施形態である電池パックの斜視図、（ｂ）は（ａ）に示す電池パックを背面側から見た斜視図である。
【図１０】従来の電池パックの斜視図である。
【発明を実施するための形態】
【００１１】
以下、図面を参照して、本発明の実施形態を説明する。
【００１２】
（第１の実施形態）
図１（ａ）は本発明の第１の実施形態である電池パックの斜視図、図１（ｂ）は図１（ａ）に示す電池パックを背面側から見た斜視図である。図２は、図１（ａ）に示す電池パックの分解斜視図である。
【００１３】
本実施形態の電池パック１００は、図１及び図２に示すように、左右方向及び上下方向の長さが略同一で前後方向が扁平な略直方体形状に形成され、リチウムイオン電池等の再充電可能な電池セル１０１を備える。
【００１４】
電池セル１０１の上面側には、保護回路基板１０３が配置される。保護回路基板１０３の上面側には、電池セル１０１の電力を外部へ出力する複数の出力端子１０４が例えば金めっき処理されたパターンにより形成される。
【００１５】
保護回路基板１０３の下面側は、正極リード板１０５及び負極リード板１０６介して電池セル１０１と電気的に接続される。正極リード板１０５及び負極リード板１０６と電池セル１０１の上面との間には、スペーサ１０２が設けられる。
【００１６】
電池セル１０１の上面側は、上述した保護回路基板１０３、正極リード板１０５、負極リード板１０６及びスペーサ１０２を介して上側カバー１０７により覆われ、電池セル１０１の下面側は、両面テープ１１３を介して下側カバー１０８により覆われる。
【００１７】
また、電池セル１０１の前後左右の側面は、前後方向に扁平な矩形筒状のラベル１０９を巻き付けることで覆われる。上側カバー１０７、下側カバー１０８及びラベル１０９は、例えば樹脂製とされ、上側カバー１０７、下側カバー１０８及びラベル１０９により電池パック１００の外装を形成している。
【００１８】
上側カバー１０７は、前後左右の側面を形成する矩形短筒状の周壁部１００ｂと、周壁部１００ｂの端部開口を閉塞する端壁部１００ａとにより有底の矩形短筒状に形成されている。そして、周壁部１００ｂがラベル１０９の上端部に巻き付け固定され、かかる固定状態で端壁部１００ａにより保護回路基板１０３が覆われる。端壁部１００ａは、保護回路基板１０３の基板面に対向する側面、即ち後述する電池室２０５に対する挿入面を形成する。
【００１９】
上側カバー１０７の端壁部１００ａの図の右端側には、保護回路基板１０３の複数の出力端子１０４を外部に露出すべく、複数の出力端子１０４に対応する複数の開口部１０７ａが形成されている。また、上側カバー１０７の周壁部１００ｂの前側の側面には、係合凹部１１２が開口部１０７ａに隣接して設けられ、周壁部１００ｂの後側の側面には、２つの係合凹部１１０，１１１（図１（ｂ）参照）が左右方向に互いに離間して形成されている。
【００２０】
図３は、電池パック１００が着脱可能に装着されるデジタルカメラ２００の電池蓋２０３を開いた状態を示す斜視図である。図４は、図３のＡ−Ａ線断面図である。
【００２１】
図３及び図４に示すように、デジタルカメラ２００は、正面側にレンズ鏡筒２０１及びストロボ発光窓２０２が設けられ、下面側には、電池室２０５を開閉可能に覆う電池蓋２０３が回動軸２０４を介して開閉方向に回動可能に設けられている。
【００２２】
電池パック１００を上側カバー１０７の端壁部１００ａ側から電池室２０５に図３の矢印Ｂ方向に挿入して装着すると、電池室２０５に設けられた係合爪２０６が電池パック１００の下側カバー１０８に係脱可能に係合する。これにより、電池パック１００が電池室２０５に固定される。係合爪２０６は、本発明の係合部材の一例に相当する。
【００２３】
係合爪２０６には、電池室２０５に電池パック１００が正しく装着された際に、電池パック１００の下側カバー１０８に係止される係止凸部２０７が形成されている。また、係合爪２０６は、電池パック１００に係合する位置と係合を解除する位置との間で回動軸２０８を介して回動可能に設けられ、不図示の付勢バネにより図４の矢印Ｃ方向（係合位置方向）に付勢されている。
【００２４】
このように、電池パック１００を電池室２０５に正しい方向に挿入して装着し、係合爪２０６で電池パック１００を固定した後、電池蓋２０３を閉じてロックすることで、電池パック１００からデジタルカメラ２００に電力が供給される。
【００２５】
次に、図５乃至図８を参照して、デジタルカメラ２００の電池室２０５に電池パック１００が誤挿入された際の動作について説明する。
【００２６】
図５は、電池パック１００の左右方向の向きを間違えて電池室２０５に電池パック１００を挿入している状態を示す斜視図である。図６は、電池パック１００の左右方向の向きを誤って電池室２０５に電池パック１００を挿入したときの状態を示す要部断面図である。
【００２７】
図５及び図６に示すように、電池パック１００の左右方向の向きを誤って電池室２０５に電池パック１００を挿入すると、挿入途中で電池パック１００の係合凹部１１０に係合爪２０６の係止凸部２０７が係合し、それ以上の挿入が規制される。これにより、ユーザは、電池パック１００を誤った向きで電池室２０５に挿入したことを把握することができる。係合凹部１１０は、本発明の第１の係合凹部の一例に相当する。
【００２８】
図７は、電池パック１００の上下方向の向きを誤って電池室２０５に電池パック１００を挿入している状態を示す斜視図である。図８は、電池パック１００の上下方向の向きを誤って電池室２０５に電池パック１００を挿入したときの状態を示す要部断面図である。
【００２９】
図５及び図６に示すように、電池パック１００の上下方向の向きを誤って電池室２０５に電池パック１００を挿入すると、挿入途中で電池パック１００の係合凹部１１１に係合爪２０６の係止凸部２０７が係合し、それ以上の挿入が規制される。これにより、ユーザは、電池パック１００を誤った向きで電池室２０５に挿入したことを把握することができる。係合凹部１１１は、本発明の第２の係合凹部の一例に相当する。
【００３０】
また、図示は省略するが、電池パック１００の上下方向かつ左右方向の向きを誤って電池室２０５に電池パック１００を挿入した場合は、挿入途中で電池パック１００の係合凹部１１２に係合爪２０６の係止凸部２０７が係合し、それ以上の挿入が規制される。これにより、ユーザは、電池パック１００を誤った向きでて電池室２０５に挿入したことを把握することができる。係合凹部１１２は、本発明の第３の係合凹部の一例に相当する。
【００３１】
以上説明したように、本実施形態では、電池パック１００の誤挿入を防止する係合凹部１１０〜１１２をそれぞれ保護回路基板１０３の配置に影響を及ぼさない上側カバー１０７の側面、即ち保護回路基板１０３の基板面と対向する挿入面以外の側面に形成している。このため、小型の電池パック１００であっても、保護回路基板１０３の基板面積を確保しつつ、デジタルカメラ２００の電池室２０５への誤挿入を防止することができる。
【００３２】
（第２の実施形態）
図９（ａ）は本発明の第２の実施形態である電池パックの斜視図、図９（ｂ）は図９（ａ）に示す電池パックを背面側から見た斜視図である。
【００３３】
上記第１の実施形態では、上側カバー１０７、下側カバー１０８及びラベル１０９により電池パック１００の外装を形成している。これに対し、本実施形態では、図９に示すように、前側カバー３０８及び後側カバー３０７により電池パック３００の外装を形成している点が相違する。以下、相違点についてのみ説明する。
【００３４】
前側カバー３０８及び後側カバー３０７は、例えば樹脂製とされ、内部に図２に示す電池セル１０１、スペーサ１０２、保護回路基板１０３、正極リード板１０５、及び負極リード板１０６を組み込んだ後、互いに例えば超音波溶着により固定される。そして、前側カバー３０８及び後側カバー３０７により、電池パック３００の前後左右の側面及び上下の側面が形成されている。
【００３５】
図９（ａ）に示すように、前側カバー３０８の前側面の右下部には、係合凹部３１２が形成されている。また、図９（ｂ）に示すように、後側カバー３０７の後側面の図の左上部には、係合凹部３１０が形成され、右下部には、係合凹部３１１が形成されている。
【００３６】
そして、電池パック３００の左右方向の向きを誤って図２に示す電池室２０５に電池パック３００を挿入すると、挿入途中で電池パック３００の係合凹部３１０に係合爪２０６の係止凸部２０７が係合し、それ以上の挿入が規制される。これにより、ユーザは、電池パック３００の向きを間違えて電池室２０５に挿入したことを把握することができる。
【００３７】
また、電池パック３００の上下方向の向きを誤って図２に示す電池室２０５に電池パック３００を挿入すると、挿入途中で電池パック３００の係合凹部３１１に係合爪２０６の係止凸部２０７が係合し、それ以上の挿入が規制される。これにより、ユーザは、電池パック３００の向きを間違えて電池室２０５に挿入したことを把握することができる。
【００３８】
また、電池パック３００の上下方向かつ左右方向の向きを誤って図２に示す電池室２０５に電池パック３００を挿入した場合は、挿入途中で電池パック３００の係合凹部３１２に係合爪２０６の係止凸部２０７が係合し、それ以上の挿入が規制される。これにより、ユーザは、電池パック３００の向きを間違えて電池室２０５に挿入したことを把握することができる。その他の構成、及び作用効果は、上記第１の実施形態と同様である。
【００３９】
なお、本発明の構成は、上記各実施形態に例示したものに限定されるものではなく、材質、形状、寸法、形態、数、配置箇所等は、本発明の要旨を逸脱しない範囲において適宜変更可能である。
【００４０】
例えば、上記実施形態では、デジタルカメラの電池室に装着される電池パックを例示したが、これに限定されず、デジタルビデオカメラやその他の撮像装置、或いは撮像装置以外の電子機器の電池室に装着される電池パックであってもよい。
【符号の説明】
【００４１】
１００  電池パック
１０１  電池セル
１０３  保護回路基板
１０７  上側カバー
１０８  下側カバー
１０９  ラベル
１１０，１１１，１１２  係合凹部
２００  デジタルカメラ
２０５  電池室
２０６  係合爪
２０７  係止凸部
【図１】
2016004651.tif 000003
【図２】
2016004651.tif 000004
【図３】
2016004651.tif 000005
【図４】
2016004651.tif 000006
【図５】
2016004651.tif 000007
【図６】
2016004651.tif 000008
【図７】
2016004651.tif 000009
【図８】
2016004651.tif 000010
【図９】
2016004651.tif 000011
【図１０】
2016004651.tif 000012